【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
有機廃棄物を処理するプロセスであって、
以下の微生物種：ストレプトマイセス・パクタム（Ｓｔｒｅｐｔｏｍｙｃｅｓ  ｐａｃｔｕｍ）、コリネバクテリウム・ストリアタム（Ｃｏｒｙｎｅｂａｃｔｅｒｉｕｍ  ｓｔｒｉａｔｕｍ）、バチルス・プミルス（Ｂａｃｉｌｌｕｓ  ｐｕｍｉｌｕｓ）、バチルス・ステアロサーモフィルス（Ｂａｃｉｌｌｕｓ  ｓｔｅａｒｏｔｈｅｒｍｏｐｈｉｌｕｓ）、バチルス・ブレビス（Ｂａｃｉｌｌｕｓ  ｂｒｅｖｉｓ）、バチルス・セレウス（Ｂａｃｉｌｌｕｓ  ｃｅｒｅｕｓ）、バチルス・サブチリス（Ｂａｃｉｌｌｕｓ  ｓｕｂｔｉｌｉｓ）、バチルス・スファエリクス（Ｂａｃｉｌｌｕｓ  ｓｐｈａｅｒｉｃｕｓ）、バチルス・リケニフォルミス（Ｂａｃｉｌｌｕｓ  ｌｉｃｈｅｎｉｆｏｒｍｉｓ）、シュードモナス・アルカリゲネス（Ｐｓｅｕｄｏｍｏｎａｓ  ａｌｃａｌｉｇｅｎｅｓ）、シュードモナス・マリノグルチノサ（Ｐｓｅｕｄｏｍｏｎａｓ  ｍａｒｉｎｏｇｌｕｔｉｎｏｓａ）、ビフィドバクテリウム・サーモフィルス（Ｂｉｆｉｄｏｂａｃｔｅｒｉｕｍ  ｔｈｅｒｍｏｐｈｉｌｕｓ）、ラクトバチルス・カゼイ（Ｌａｃｔｏｂａｃｉｌｌｕｓ  ｃａｓｅｉ）、ラクトバチラス・プランタルム（Ｌａｃｔｏｂａｃｉｌｌｕｓ  ｐｌａｎｔａｒｕｍ）、及び、ラクトバチラス・フェルメントゥス（Ｌａｃｔｏｂａｃｉｌｌｕｓ  ｆｅｒｍｅｎｔｕｓ）のうち１以上の微生物と有機廃棄物を接触させる工程を含み、
前記接触を、前記有機廃棄物を有機肥料に少なくとも部分的に変換する条件下で行う
プロセス。
【請求項２】
前記有機廃棄物の初期水分量は２５重量％〜７０重量％である、
請求項１記載のプロセス。
【請求項３】
前記接触は、ストレプトマイセス・パクタム（Ｓｔｒｅｐｔｏｍｙｃｅｓ  ｐａｃｔｕｍ）、コリネバクテリウム・ストリアタム（Ｃｏｒｙｎｅｂａｃｔｅｒｉｕｍ  ｓｔｒｉａｔｕｍ）、バチルス・プミルス（Ｂａｃｉｌｌｕｓ  ｐｕｍｉｌｕｓ）、バチルス・ステアロサーモフィルス（Ｂａｃｉｌｌｕｓ  ｓｔｅａｒｏｔｈｅｒｍｏｐｈｉｌｕｓ）、バチルス・ブレビス（Ｂａｃｉｌｌｕｓ  ｂｒｅｖｉｓ）、バチルス・セレウス（Ｂａｃｉｌｌｕｓ  ｃｅｒｅｕｓ）、バチルス・サブチリス（Ｂａｃｉｌｌｕｓ  ｓｕｂｔｉｌｉｓ）、バチルス・スファエリクス（Ｂａｃｉｌｌｕｓ  ｓｐｈａｅｒｉｃｕｓ）、バチルス・リケニフォルミス（Ｂａｃｉｌｌｕｓ  ｌｉｃｈｅｎｉｆｏｒｍｉｓ）、シュードモナス・アルカリゲネス（Ｐｓｅｕｄｏｍｏｎａｓ  ａｌｃａｌｉｇｅｎｅｓ）、シュードモナス・マリノグルチノサ（Ｐｓｅｕｄｏｍｏｎａｓ  ｍａｒｉｎｏｇｌｕｔｉｎｏｓａ）、ビフィドバクテリウム・サーモフィルス（Ｂｉｆｉｄｏｂａｃｔｅｒｉｕｍ  ｔｈｅｒｍｏｐｈｉｌｕｓ）、ラクトバチルス・カゼイ（Ｌａｃｔｏｂａｃｉｌｌｕｓ  ｃａｓｅｉ）、ラクトバチラス・プランタルム（Ｌａｃｔｏｂａｃｉｌｌｕｓ  ｐｌａｎｔａｒｕｍ）、及び、ラクトバチラス・フェルメントゥス（Ｌａｃｔｏｂａｃｉｌｌｕｓ  ｆｅｒｍｅｎｔｕｓ）のうち１以上の微生物を含有する組成物を前記有機廃棄物に添加する工程を含む、
請求項１又は２記載のプロセス。
【請求項４】
前記接触工程中に、前記有機廃棄物を曝気する工程を含む、
請求項１〜３のいずれか一項記載のプロセス。
【請求項５】
前記接触工程中に、前記有機廃棄物を３５℃〜７５℃に冷却する工程を含む、
請求項１〜４のいずれか一項記載のプロセス。
【請求項６】
前記接触工程の前に、前記有機廃棄物の温度を８０℃〜１７５℃に制御して不要な微生物を前記有機廃棄物から除去する工程を含む、
請求項５記載のプロセス。
【請求項７】
前記組成物は溶液である、
請求項３〜６のいずれか一項記載のプロセス
【請求項８】
前記組成物は粉末である、
請求項３〜６のいずれか一項記載のプロセス。
【請求項９】
前記溶液の微生物含有量は、微生物培養液において微生物量が５体積％〜５０体積％である、
請求項７記載のプロセス。
【請求項１０】
前記粉末の微生物含有量は、粉末１ｇ当たりの生菌数が１×１０１０個〜１５×１０１０個である、
請求項８記載のプロセス。
【請求項１１】
前記有機廃棄物は、農業廃棄物、食品廃棄物、有機性廃棄物、工場排水、都市ごみ、下水、汚泥、動物性廃棄物及び産業廃棄物からなる群から選択される、
請求項１〜１０のいずれか一項記載のプロセス。
【請求項１２】
前記農業廃棄物は、アブラヤシ空果房、オリーブ殻、トウモロコシの穂軸、コーヒー豆殻、もみ殻、稲わら、キノコ廃菌床、ヤシの葉、ヤシの幹、ヤシ殻、ヤシ繊維、農場排水、屠殺場からの廃棄物、花の切りくず、使用済みの花の堆肥、麦わら、果物ごみ及び野菜ごみからなる群から選択される、
請求項１１記載のプロセス。
【請求項１３】
前記動物性廃棄物は、鶏糞、牛糞、ヤギ糞、馬糞、羊糞及び豚糞からなる群から選択される、
請求項１１記載のプロセス。
【請求項１４】
前記有機廃棄物は、粒径が１ｍｍ〜２０ｍｍである、
請求項１〜１３のいずれか一項記載のプロセス。
【請求項１５】
前記微生物の少なくとも１つと前記有機廃棄物を接触させる前記工程は、少なくとも１８時間行われる、
請求項１〜１４のいずれか一項記載のプロセス。
【請求項１６】
１以上の添加物又は養分を前記有機廃棄物に添加して前記微生物による前記有機廃棄物の変換効率を向上させる工程をさらに含む、
請求項１〜１５のいずれか一項記載のプロセス。
【請求項１７】
有機廃棄物を処理することにより、有機肥料を製造する、有機肥料のＮＰＫ値を高める、有機肥料のカリウム値を高める、有機廃棄物の臭気を減らす、有機廃棄物からの養分の溶脱を防ぐ、又は、廃棄物の蓄積量を減らすための、以下の微生物種：ストレプトマイセス・パクタム（Ｓｔｒｅｐｔｏｍｙｃｅｓ  ｐａｃｔｕｍ）、コリネバクテリウム・ストリアタム（Ｃｏｒｙｎｅｂａｃｔｅｒｉｕｍ  ｓｔｒｉａｔｕｍ）、バチルス・プミルス（Ｂａｃｉｌｌｕｓ  ｐｕｍｉｌｕｓ）、バチルス・ステアロサーモフィルス（Ｂａｃｉｌｌｕｓ  ｓｔｅａｒｏｔｈｅｒｍｏｐｈｉｌｕｓ）、バチルス・ブレビス（Ｂａｃｉｌｌｕｓ  ｂｒｅｖｉｓ）、バチルス・セレウス（Ｂａｃｉｌｌｕｓ  ｃｅｒｅｕｓ）、バチルス・サブチリス（Ｂａｃｉｌｌｕｓ  ｓｕｂｔｉｌｉｓ）、バチルス・スファエリクス（Ｂａｃｉｌｌｕｓ  ｓｐｈａｅｒｉｃｕｓ）、バチルス・リケニフォルミス（Ｂａｃｉｌｌｕｓ  ｌｉｃｈｅｎｉｆｏｒｍｉｓ）、シュードモナス・アルカリゲネス（Ｐｓｅｕｄｏｍｏｎａｓ  ａｌｃａｌｉｇｅｎｅｓ）、シュードモナス・マリノグルチノサ（Ｐｓｅｕｄｏｍｏｎａｓ  ｍａｒｉｎｏｇｌｕｔｉｎｏｓａ）、ビフィドバクテリウム・サーモフィルス（Ｂｉｆｉｄｏｂａｃｔｅｒｉｕｍ  ｔｈｅｒｍｏｐｈｉｌｕｓ）、ラクトバチルス・カゼイ（Ｌａｃｔｏｂａｃｉｌｌｕｓ  ｃａｓｅｉ）、ラクトバチラス・プランタルム（Ｌａｃｔｏｂａｃｉｌｌｕｓ  ｐｌａｎｔａｒｕｍ）、及び、ラクトバチラス・フェルメントゥス（Ｌａｃｔｏｂａｃｉｌｌｕｓ  ｆｅｒｍｅｎｔｕｓ）のうち１以上の微生物の使用。
【請求項１８】
有機廃棄物を処理するための組成物であって、以下の微生物種：ストレプトマイセス・パクタム（Ｓｔｒｅｐｔｏｍｙｃｅｓ  ｐａｃｔｕｍ）、コリネバクテリウム・ストリアタム（Ｃｏｒｙｎｅｂａｃｔｅｒｉｕｍ  ｓｔｒｉａｔｕｍ）、バチルス・プミルス（Ｂａｃｉｌｌｕｓ  ｐｕｍｉｌｕｓ）、バチルス・ステアロサーモフィルス（Ｂａｃｉｌｌｕｓ  ｓｔｅａｒｏｔｈｅｒｍｏｐｈｉｌｕｓ）、バチルス・ブレビス（Ｂａｃｉｌｌｕｓ  ｂｒｅｖｉｓ）、バチルス・セレウス（Ｂａｃｉｌｌｕｓ  ｃｅｒｅｕｓ）、バチルス・サブチリス（Ｂａｃｉｌｌｕｓ  ｓｕｂｔｉｌｉｓ）、バチルス・スファエリクス（Ｂａｃｉｌｌｕｓ  ｓｐｈａｅｒｉｃｕｓ）、バチルス・リケニフォルミス（Ｂａｃｉｌｌｕｓ  ｌｉｃｈｅｎｉｆｏｒｍｉｓ）、シュードモナス・アルカリゲネス（Ｐｓｅｕｄｏｍｏｎａｓ  ａｌｃａｌｉｇｅｎｅｓ）、シュードモナス・マリノグルチノサ（Ｐｓｅｕｄｏｍｏｎａｓ  ｍａｒｉｎｏｇｌｕｔｉｎｏｓａ）、ビフィドバクテリウム・サーモフィルス（Ｂｉｆｉｄｏｂａｃｔｅｒｉｕｍ  ｔｈｅｒｍｏｐｈｉｌｕｓ）、ラクトバチルス・カゼイ（Ｌａｃｔｏｂａｃｉｌｌｕｓ  ｃａｓｅｉ）、ラクトバチラス・プランタルム（Ｌａｃｔｏｂａｃｉｌｌｕｓ  ｐｌａｎｔａｒｕｍ）、及び、ラクトバチラス・フェルメントゥス（Ｌａｃｔｏｂａｃｉｌｌｕｓ  ｆｅｒｍｅｎｔｕｓ）のうち１以上の微生物を含有する組成物。
【請求項１９】
前記組成物は溶液である、
請求項１８記載の組成物。
【請求項２０】
前記組成物は粉末である、
請求項１８記載の組成物。
【請求項２１】
有機廃棄物と請求項１８〜２０のいずれか一項記載の組成物を含有する有機肥料。
【請求項２２】
有機廃棄物の処理に用いるためのキットであって、
以下の微生物種：ストレプトマイセス・パクタム（Ｓｔｒｅｐｔｏｍｙｃｅｓ  ｐａｃｔｕｍ）、コリネバクテリウム・ストリアタム（Ｃｏｒｙｎｅｂａｃｔｅｒｉｕｍ  ｓｔｒｉａｔｕｍ）、バチルス・プミルス（Ｂａｃｉｌｌｕｓ  ｐｕｍｉｌｕｓ）、バチルス・ステアロサーモフィルス（Ｂａｃｉｌｌｕｓ  ｓｔｅａｒｏｔｈｅｒｍｏｐｈｉｌｕｓ）、バチルス・ブレビス（Ｂａｃｉｌｌｕｓ  ｂｒｅｖｉｓ）、バチルス・セレウス（Ｂａｃｉｌｌｕｓ  ｃｅｒｅｕｓ）、バチルス・サブチリス（Ｂａｃｉｌｌｕｓ  ｓｕｂｔｉｌｉｓ）、バチルス・スファエリクス（Ｂａｃｉｌｌｕｓ  ｓｐｈａｅｒｉｃｕｓ）、バチルス・リケニフォルミス（Ｂａｃｉｌｌｕｓ  ｌｉｃｈｅｎｉｆｏｒｍｉｓ）、シュードモナス・アルカリゲネス（Ｐｓｅｕｄｏｍｏｎａｓ  ａｌｃａｌｉｇｅｎｅｓ）、シュードモナス・マリノグルチノサ（Ｐｓｅｕｄｏｍｏｎａｓ  ｍａｒｉｎｏｇｌｕｔｉｎｏｓａ）、ビフィドバクテリウム・サーモフィルス（Ｂｉｆｉｄｏｂａｃｔｅｒｉｕｍ  ｔｈｅｒｍｏｐｈｉｌｕｓ）、ラクトバチルス・カゼイ（Ｌａｃｔｏｂａｃｉｌｌｕｓ  ｃａｓｅｉ）、ラクトバチラス・プランタルム（Ｌａｃｔｏｂａｃｉｌｌｕｓ  ｐｌａｎｔａｒｕｍ）、及び、ラクトバチラス・フェルメントゥス（Ｌａｃｔｏｂａｃｉｌｌｕｓ  ｆｅｒｍｅｎｔｕｓ）のうち１以上の微生物を含有する組成物
を含むキット。
【請求項２３】
１以上の添加物又は養分をさらに含み、その１以上の添加物又は養分は、前記組成物中の前記微生物の増殖率を向上させることができるものである、
請求項２２記載のキット。